(57)【要約】 【課題】  クロストークを低減する補正において、最小階調未満の階調や最大階調を超える階調が要求することなく、全ての階調で同一階調は同じ輝度にする。【解決手段】  サブ画素単位で輝度調整をする表示部２と、サブ画素の輝度の階調表示が設定され、補正対象のサブ画素の階調をその隣接サブ画素の階調に基づいて補正するクロストーク補正部７とを有する表示装置であって、  最小階調＋最大階調がＳ、前記補正対象の階調がＫ１、前記隣接サブ画素の階調がＫ２であるとき、前記クロストーク補正部は前記補正対象の輝度が[前記補正対象の階調がＫ１、前記隣接サブ画素の階調がＳ−Ｋ１]のときの前記補正対象の輝度と略同じになるように前記補正対象の階調を補正する。【選択図】      図２
2009145640.tif 000002
【特許請求の範囲】
【請求項１】
サブ画素単位で輝度調整をする表示部と、前記サブ画素の輝度の階調表示が設定され、
２つの視方向に対する個別の画像のサブ画素がゲートライン方向に隣接した合成画像を出
力する２画面合成部と、補正対象のサブ画素の階調をその近接サブ画素の階調に基づいて
補正するクロストーク補正部とを有し、前記表示部は前記クロストーク補正部で補正され
た前記個別の画像を夫々異なる視方向に判別可能に表示する表示装置であって、
最小階調＋最大階調がＳ、前記補正対象の階調がＫ１、前記近接サブ画素の階調がＫ２
であるとき、前記クロストーク補正部は前記補正対象の輝度が[前記補正対象の階調がＫ
１、前記近接サブ画素の階調がＳ−Ｋ１]のときの前記補正対象の輝度と略同じになるよ
うに前記補正対象の階調を補正することを特徴とする表示装置。
【請求項２】
前記クロストーク補正部は前記補正対象のサブ画素の階調と前記近接サブ画素の階調に
対応する補正テーブルを記憶するＬＵＴを備え、前記補正対象のサブ画素の階調に前記Ｌ
ＵＴの補正データを加算することを特徴とする請求項１に記載の表示装置。
【請求項３】
前記近接サブ画素は前記補正対象のサブ画素に隣接するサブ画素であり、前記クロスト
ーク補正部は印加電圧の差によるクロストークの補正を行うことを特徴とする請求項１に
記載の表示装置。
【請求項４】
前記表示部は前記個別画像を夫々異なる視方向に判別可能にするスリットを有し、赤色
・緑色・青色の３つの前記サブ画素で一つの画素を構成し、前記近接サブ画素は前記補正
対象に隣接する画素の同色サブ画素であり、前記クロストーク補正部は前記スリットによ
る光のクロストークの補正を行うことを特徴とする請求項１に記載の表示装置。
【請求項５】
サブ画素単位で輝度調整をする表示部と、前記サブ画素の輝度の階調表示が設定され、
補正対象のサブ画素の階調をその隣接サブ画素の階調に基づいて補正するクロストーク補
正部とを有する表示装置であって、
最小階調＋最大階調がＳ、前記補正対象の階調がＫ１、前記隣接サブ画素の階調がＫ２
であるとき、前記クロストーク補正部は前記補正対象の輝度が[前記補正対象の階調がＫ
１、前記隣接サブ画素の階調がＳ−Ｋ１]のときの前記補正対象の輝度と略同じになるよ
うに前記補正対象の階調を補正することを特徴とする表示装置。
【請求項６】
前記クロストーク補正部は前記補正対象のサブ画素の階調と前記隣接サブ画素の階調に
対応する補正テーブルを記憶するＬＵＴを備え、前記補正対象のサブ画素の階調に前記Ｌ
ＵＴの補正データを加算することを特徴とする請求項１に記載の表示装置。
【発明の詳細な説明】
【技術分野】
【０００１】
本発明は、クロストーク補正を行う表示装置に関し、特に、2つの個別画像を異なる視
方向に夫々判別可能に表示する表示装置に関する。
【背景技術】
【０００２】
液晶表示装置は軽量、薄型、低消費電力という特徴があり、多くの電子機器に使用され
ている。ナビゲーション装置にも液晶表示装置が使用されるが、ナビゲーション装置はテ
レビジョン受信部やＤＶＤビデオ再生部など運転中の運転者には交通安全上好ましくない
画像も表示する。
【０００３】
そこで、交通安全上の問題から、同一表示画面に複数の画像を表示させ、視方向により
異なる画像を認識できるようにする技術が開発され、右方向の運転者からはナビゲーショ
ンの画像が見え、左方向の助手席からはテレビジョン受信部やＤＶＤビデオ再生部の画像
が見えるようになった（特許文献１参照）。視方向により異なる画像を認識できるように
する技術としては、液晶シャッターの遮光パターンによるものがある。
【０００４】
図９は２画面表示装置５０により２画面表示が実現される仕組みを示す図である。左の
視方向Ａには、遮光板５３の開口部５５を通して第１のサブ画素列５１ａから第１の画像
が提供される。このとき、第２のサブ画素列５１ｂの第２の画像は、遮光板５３の遮光部
５４により遮られるため、左の視方向Ａからは視認することができない。
【０００５】
一方、右の視方向Ｂには、遮光板５３のスリット（開口部）５５を通して第２のサブ画
素列５１ｂから第２の画像が提供される。このとき、第１のサブ画素列５１ａの第１の画
像は、遮光板５３の遮光部５４により遮られるため、右の視方向Ｂからは視認することが
できない。こうして、左の視方向Ａに第１の画像を提供し、右の視方向Ｂに第２の画像を
提供する２画面表示が行われる。
【０００６】
このような２画面表示装置５０は、例えば、自動車内において運転席と助手席との間に
この２画面表示装置５０を配置した場合、運転席と助手席とでは２画面表示装置５０の観
察方向が異なるから、運転席の者には例えばナビゲーション装置の画像を見ることができ
るようにし、助手席の者にはＤＶＤ画像やテレビジョン画像を見ることができるようにす
ることができる。しかしながら、２画面表示装置においては、電気的クロストークと光学
的クロストークが発生しやすい。
【０００７】
図１０はこれらのクロストークを示す図である。隣接サブ画素と階調差があると駆動電
圧が異なり、電極と隣接ソースラインとの間に発生する浮遊容量によって電気的クロスト
ークが発生する。電気的クロストークは２画面ではない表示装置でも発生するが、２画面
表示装置では、互いに異なる内容の画像（例えば、ナビゲーション装置の場合は運転席方
向にナビゲーション画像を表示させ、助手席方向にＤＶＤ再生画像を表示させる。）のサ
ブ画素が隣り合うために、サブ画素間に大きな電位差が生じて、特に、２画面表示装置で
は電気的クロストークとなることが多い。また、スリットにより２つの個別画像を異なる
方向に判別可能にする２画面表示装置ではスリットの縁部で回折を生じて光学的クロスロ
ークとなることが多い。このように、特に、２画面表示装置はクロストークが発生し易い
。
【０００８】
図１１は２画面表示装置における電気的クロストークの表示状態と、従来の補正状態を
示す図である。左の視方向の画像が補正対象である。各サブ画素の輝度を示す階調は６ビ
ットのデータであり、０階調（二進法で００００００）から６３階調（二進法で１１１１
１１）までの６４種類である。左の視方向の画像は全サブ画素が３２階調のグレーである
。これに対して、右の視方向の画像は中央の矩形領域が０階調のブラックであり、背景が
６３階調のホワイトである。
【０００９】
ノーマリーホワイトのときは３２階調（グレー）の駆動電圧は０階調（ブラック）の駆
動電圧よりも低いことから、電気的クロストークにより３２階調（グレー）のサブ画素の
起電力が高くなって暗くなる。また、ノーマリーブラックのときは３２階調（グレー）の
駆動電圧は０階調（ブラック）の駆動電圧よりも高いことから、電気的クロストークによ
り３２階調（グレー）のサブ画素の起電力が低くなって暗くなる。即ち、ノーマリーホワ
イト、ノーマリーブラックいずれのときも３２階調（グレー）のサブ画素は０階調（ブラ
ック）の隣接サブ画素の影響により暗くなる。これとは逆に、３２階調（グレー）のサブ
画素は６３階調（ホワイト）の隣接サブ画素の影響により明るくなる。したがって、図１
０に示す如く、右の視方向の画像の０階調（ブラック）に対応する左の視方向の画像の３
２階調（グレー）部分がＫ３２：０階調分暗くなる。また、右の視方向の画像の６３階調
（ホワイト）に対応する左の視方向の画像の３２階調部分がＫ３２：６３階調分明るくな
る。ここで、Ｋ３２：０とＫ３２：６３は補正すべき階調の値を示す。
【００１０】
そこで、従来の補正方法では、図１２に示すＬＵＴ（ルックアップテーブル）を設ける
。このＬＵＴは補正対象サブ画素の各階調に対する補正すべき値を隣接サブ画素の階調毎
に設定した補正値のテーブルである。補正対象サブ画素の階調と隣接サブ画素の階調が同
じときは電気的クロストークが発生しないので、補正値は０になっている。このＬＵＴに
基づいて、右の視方向の画像の０階調（ブラック）に対応する左の視方向の画像の３２階
調（グレー）をＫ３２：０階調分輝度アップさせる。また、右の視方向の画像の６３階調
（ホワイト）に対応する左の視方向の画像の３２階調（グレー）をＫ３２：６３階調分輝
度ダウンさせる。これによって、右の視方向の画像によるクロストークを補正することが
でき、左の視方向の画像は同一輝度で表示される。
【特許文献１】特開２００６−１８４８５９号公報
【発明の開示】
【発明が解決しようとする課題】
【００１１】
しかしながら、階調は６ビットの０階調から６３階調までである。したがって、図１２
の２箇所の補正不可領域に示す如く、０階調未満となるような補正値の減算と６３階調を
超えるような補正値の加算をすることはできない。
【００１２】
例えば、図１３に示す如く、補正対象となる左の視方向のサブ画素が全て０階調（ブラ
ック）であったときは、右の視方向の画像の６３階調（ホワイト）に対応する左の視方向
の画像の０階調（ブラック）部分がＫ０：６３階調明るくなる。そして、右の視方向の画
像の０階調（ブラック）に対応する左の視方向の画像の０階調部分はそのままである。こ
のために、−Ｋ０：６３階調に補正したいが、階調は０までであるので、この補正を行う
ことはできない。したがって、一方の全画面がブラックであるときは、他方の画面の内容
がフリッカによって薄く表示するという問題があった。この問題は電気的クロストークの
みでなく、光学的クロストークにおいてもあった。
【００１３】
図１４は補正対象となる左の視方向のサブ画素が全て６３階調（ホワイト）であるとき
を示す図である。このときは右の視方向の画像の０階調（ブラック）に対応する左の視方
向の画像の６３階調（ホワイト）部分がＫ６３：０階調暗くなる。このために、６３＋Ｋ
６３：０階調に補正したいが、階調は６３階調を超えることができないので、この補正を
行うことはできない。したがって、一方の全画面がホワイトであるときは、他方の画面の
内容がフリッカによって薄く表示するという問題があった。
【００１４】
本発明は上述の課題に鑑みてなされたものであり、補正対象のサブ画素が最小階調（０
階調）や最大階調（６ビットのときは６３階調、８ビットのときは２５５階調）であって
もクロストークを低減することを目的とする。
【課題を解決するための手段】
【００１５】
上記課題を解決するために、本発明の表示装置は、サブ画素単位で輝度調整をする表示
部と、前記サブ画素の輝度の階調表示が設定され、２つの視方向に対する個別の画像のサ
ブ画素がゲートライン方向に隣接した合成画像を出力する２画面合成部と、補正対象のサ
ブ画素の階調をその近接サブ画素の階調に基づいて補正するクロストーク補正部とを有し
、前記表示部は前記クロストーク補正部で補正された前記個別の画像を夫々異なる視方向
に判別可能に表示する表示装置であって、
最小階調＋最大階調がＳ、前記補正対象の階調がＫ１、前記近接サブ画素の階調がＫ２
であるとき、前記クロストーク補正部は前記補正対象の輝度が[前記補正対象の階調がＫ
１、前記近接サブ画素の階調がＳ−Ｋ１]のときの前記補正対象の輝度と略同じになるよ
うに前記補正対象の階調を補正する。
【００１６】
このように、Ｓ−Ｋ１のときの輝度となるように補正するので、最小階調未満の階調や
最大階調を超える階調が要求されることはなく、全ての階調において同一階調は同じ輝度
となって、クロストークを低減することができる。
【００１７】
また、前記クロストーク補正部は前記補正対象のサブ画素の階調と前記近接サブ画素の
階調に対応する補正テーブルを記憶するＬＵＴを備え、前記補正対象のサブ画素の階調に
前記ＬＵＴの補正データを加算する。
【００１８】
このようにＬＵＴを備えることで、実験データの回帰分析での最小二乗法等の計算を回
避することができ、補正処理を早く行うことができる。また、補正データの変更はＬＵＴ
の変更を行えばよく、変更が容易となる。
【００１９】
また、前記近接サブ画素は前記補正対象のサブ画素に隣接するサブ画素であり、前記ク
ロストーク補正部は印加電圧の差によるクロストークの補正を行う。
【００２０】
このようにして、本発明を電気的クロストークの補正に適用することができる。
【００２１】
また、前記表示部は前記個別画像を夫々異なる視方向に判別可能にするスリットを有し
、赤色・緑色・青色の３つの前記サブ画素で一つの画素を構成し、前記近接サブ画素は前
記補正対象に隣接する画素の同色サブ画素であり、前記クロストーク補正部は前記スリッ
トによる光のクロストークの補正を行う。
【００２２】
このようにして、本発明をスリットの回折によるクロストークの補正に適用することが
できる。
【００２３】
また、サブ画素単位で輝度調整をする表示部と、前記サブ画素の輝度の階調表示が設定
され、補正対象のサブ画素の階調をその隣接サブ画素の階調に基づいて補正するクロスト
ーク補正部とを有する表示装置であって、
最小階調＋最大階調がＳ、前記補正対象の階調がＫ１、前記隣接サブ画素の階調がＫ２
であるとき、前記クロストーク補正部は前記補正対象の輝度が[前記補正対象の階調がＫ
１、前記隣接サブ画素の階調がＳ−Ｋ１]のときの前記補正対象の輝度と略同じになるよ
うに前記補正対象の階調を補正する。
【００２４】
このような構成により、２画面でなくても、全ての階調において同一階調は同じ輝度と
なって、クロストークを低減することができる。
【発明を実施するための最良の形態】
【００２５】
以下、図面を参照して本発明の最良の実施形態を説明する。但し、以下に示す実施形態
は、本発明の技術思想を具体化するための表示装置を例示するものであって、本発明をこ
れらに特定することを意図するものではなく、特許請求の範囲に含まれるその他の実施形
態のものにも等しく適応し得るものである。
【００２６】
本実施形態の表示装置は２画面表示装置であり、図１は２画面表示装置の要部を示すブ
ロック図である。図１の実線は２画面表示装置１を示し、破線は２画面表示装置１が組み
込まれるナビゲーション装置４０を示す。
【００２７】
図１において、２画面表示装置１は液晶表示部２と、ナビゲーション装置４０からの２
つのソース画像（ナビゲーション画像、ＤＶＤ画像）を２画面合成処理とクロストーク補
正をし液晶表示部２に出力する信号処理回路３と、信号処理回路３の動作に必要な種々の
データを記憶するＥＥＰＲＯＭ４と、液晶表示部２に電源を供給する電源供給回路５を備
えている。
【００２８】
信号処理回路３は２つのソース画像を合成する２画面合成部６と、クロストーク補正を
行うクロストーク補正部７と、クロストーク補正部７で補正された信号を液晶表示部２で
表示できるように極性やタイミングを制御する出力信号生成部８と、ＥＥＰＲＯＭ４の入
出力を制御するＥＥＰＲＯＭコントローラ９を備えている。
【００２９】
クロストーク補正部７は前処理部１０と電気補正部１１と光学補正部１２と演算部１３
を備える。前処理部１０は２画面合成部６からの画像信号より必要なデータを電気補正部
１１と光学補正部１２と演算部１３に送出する。電気補正部１１はＥＥＰＲＯＭコントロ
ーラ９からの電気的クロストーク補正値のテーブル（図２参照）を記憶する電気ＬＵＴ（
ルックアップテーブル）１４を有し、前処理部１０から補正対象のサブ画素データと右隣
のサブ画素データを入力して電気ＬＵＴ１４の電気補正テーブルから電気的な補正データ
を抽出する。光学補正部１２はＥＥＰＲＯＭコントローラ９からの光学的クロストーク補
正値のテーブル（図３参照）を記憶する光学ＬＵＴ１５を有し、前処理部１０から補正対
象のサブ画素データと右隣の画素の同色サブ画素データを入力して光学ＬＵＴ１５の光学
補正テーブルから光学的な補正データを抽出する。演算部１３は前処理部１０からの補正
対象のサブ画像に電気補正１１が抽出した電気的な補正データと光学補正１２が抽出した
光学的な補正データを加算する。
【００３０】
図４は液晶表示部２の画素を示す図である。液晶表示部２はカラーのＷＶＧＡであり、
ソースライン方向（横方向）に８００画素、ゲートライン方向（縦方向）に４８０画素あ
る。１画素はＲＧＢの３つのサブ画素から成る。液晶表示部２はサブ画素の遮光パターン
が市松模様（チェス盤の白黒模様。図５のＲ／Ｌ参照）の遮光部（液晶シャッター）を備
えている。これにより、サブ画素の市松模様の一方が右の視方向（日本の運転席方向）か
らのみ視認することができ、他方が左の視方向（日本の助手席方向）からのみ視認するこ
とができる。例えば、右の視方向ではナビゲーション画像を視認し、左の視方向ではＤＶ
Ｄ画像を視認する。入力画像のサブ画素の階調データは６ビットであり、ＲＧＢの輝度は
０階調〜６３階調の６４種類となる。液晶表示部２の輝度の駆動制御は１階調単位である
。即ち、整数でない階調を指定することはできない。１画面（８００画素×４８０画素）
の周期、即ちフレーム周期は６０Ｈｚである。この市松模様の開口部がスリットであり、
光の回折を生じて、光漏れとなる。
【００３１】
ＥＥＰＲＯＭ４には、図２に示す電気補正テーブルと図３に示す光学補正テーブルが格
納されている。電気補正テーブルは補正対象のサブ画素の階調に対する隣接サブ画素の階
調の電気的な補正値が記憶される。この補正値は実験で求められた値である。光学補正テ
ーブルは補正対象のサブ画素の階調に対する隣接画素の同色サブ画素の階調の光学的な補
正値が記憶される。この補正値は実験で求められた値である。ナビゲーション装置の電源
スイッチ（図示せず。）がＯＮにされると、ＥＥＰＲＯＭコントローラ９はＥＥＰＲＯＭ
４の電気補正テーブルを電気ＬＵＴ１４に転送し、光学補正テーブルを光学ＬＵＴ１５に
転送する。
【００３２】
上述の構成における２画面表示装置の画像処理について説明する。
【００３３】
図５に示す如く、２画面合成部６は、ナビゲーション装置４０のナビゲーション部４１
から入力される８００画素×４８０画素のナビゲーション画像とＤＶＤ再生部４２から入
力される８００画素×４８０画素をサブ画素の市松模様に取捨選択して、１つの８００画
素×４８０画素の画像を合成する。
【００３４】
クロストーク補正部７の前処理部１０は２画面合成部６から入力された合成画像より補
正対象のサブ画素データ（６ビットの階調データ）を電気補正部１１と光学補正部１２と
演算部１３に出力し、右隣のサブ画素データを電気補正部１１に出力し、右隣の画素の補
正対象のサブ画素と同色のサブ画素データを光学補正部１２に出力する。
【００３５】
電気補正部１１は電気ＬＵＴ１４の電気的クロストーク補正値のテーブルを用いて、入
力された補正対象のサブ画素データと右隣のサブ画素データの電気的な補正データを抽出
する。光学補正部１２は光学的クロストーク補正値のテーブルを用いて、入力された補正
対象のサブ画素データと右隣の画素の同色サブ画素データの光学的な補正データを抽出す
る。演算部１３は前処理部１０からの補正対象のサブ画像に電気補正部１１が抽出した電
気的な補正データと光学補正部１２が抽出した光学的な補正データを加算する。
【００３６】
このようして電気的なクロストークと光学的なクロストークが補正された合成画像は出
力信号生成部８を介して液晶表示部２で夫々異なる視方向に判別可能に表示される。
【００３７】
次に電気的クロストーク補正値について詳細に説明する。
【００３８】
本発明は補正対象サブ画素の全階調が補正可能となるように輝度の範囲を制限するもの
である。低い階調の補正については、補正対象サブ画素が最低階調（ここでは０階調）で
、隣接サブ画素の階調が最大階調（ここでは６３階調）のときの補正対象サブ画素の輝度
以上を最低輝度とし、高い階調の補正については、補正対象サブ画素の階調が最大階調（
ここでは６３階調）で、隣接サブ画素の階調が最低諧調（ここでは０階調）のときの補正
対象サブ画素の輝度以下を最大輝度とする。この輝度の範囲は補正対象サブ画素が指定可
能な階調範囲の輝度であるので、全階調が補正可能となる。図２、図３はこの輝度の制限
範囲内では最も輝度範囲が広いクロストーク補正値のテーブルである。尚、輝度範囲を図
２、図３よりも狭い範囲に設定することができる。また、補正対象サブ画素の中間の階調
については、設定された輝度範囲内の任意の輝度に設定することができる。
【００３９】
図２の電気的クロストーク補正値のテーブルは、補正対象サブ画素の階調と隣接サブ画
素の階調の合計が６３のときの補正値が０になっている。即ち、図２において、補正対象
サブ画素の階調０で隣接サブ画素の階調が６３の位置と補正対象サブ画素の階調６３で隣
接サブ画素の階調が０の位置を結ぶ右上がりの斜線位置が補正０になっている。この斜線
位置の右下の領域の補正値はプラスとなり、この斜線位置の左上の領域の補正値はマイナ
スとなる。このように、補正対象サブ画素の階調と隣接サブ画素の階調の合計が６３のと
きの輝度になるように補正する。
【００４０】
図２において、補正対象サブ画素が０階調で隣接サブ画素が０階調の電気的クロストー
ク補正値Ａ０：０は、 [補正対象サブ画素の階調：０、隣接サブ画素の階調：０]のとき
の補正対象サブ画素の輝度が[補正対象サブ画素の階調：０、隣接サブ画素の階調：６３]
のときの補正対象サブ画素の輝度となるように補正する階調の値である。Ａ３２：０は[
補正対象サブ画素の階調：３２、隣接サブ画素の階調：０]のときの補正対象サブ画素の
輝度が[補正対象サブ画素の階調：３２、隣接サブ画素の階調：３１]のときの補正対象サ
ブ画素の輝度となるように補正する階調の値である。Ａ３２：６３は[補正対象サブ画素
の階調：３２、隣接サブ画素の階調：６３]のときの補正対象サブ画素の輝度が[補正対象
サブ画素の階調：３２、隣接サブ画素の階調：３１]のときの補正対象サブ画素の輝度と
なるように補正する階調の値である。Ａ６３：６３は[補正対象サブ画素の階調：６３、
隣接サブ画素の階調：６３]のときの補正対象サブ画素の輝度が[補正対象サブ画素の階調
：６３、隣接サブ画素の階調：０]のときの補正対象サブ画素の輝度となるように補正す
る階調の値である。
【００４１】
このように、最小階調＋最大階調をＳ、補正対象サブ画素の階調をＡ１、隣接サブ画素
の階調をＡ２とすると、このときの電気的クロストークの補正値は、電気的クロストーク
のみの状況で、[補正対象サブ画素の階調：Ａ１、隣接サブ画素の階調：Ａ２]のときの補
正対象サブ画素の輝度が[補正対象サブ画素の階調：Ａ１、隣接サブ画素の階調：Ｓ−Ａ
１]のときの補正対象サブ画素の輝度となるように補正する階調の値である。
【００４２】
図３の光学的クロストーク補正値のテーブルも同様であり、最小階調＋最大階調をＳ、
補正対象サブ画素の階調をＢ１、隣接画素の同色サブ画素の階調をＢ２とすると、このと
きの光学的クロストークの補正値は、光学的クロストークのみの状況で、[補正対象サブ
画素の階調：Ｂ１、隣接画素の同色サブ画素の階調：Ｂ２]のときの補正対象サブ画素の
輝度が[補正対象サブ画素の階調：Ｂ１、隣接画素の同色サブ画素の階調：Ｓ−Ｂ１]のと
きの補正対象サブ画素の輝度となるように補正する階調の値である。
【００４３】
図６は両クロストークの表示状態と、補正状態を示す図である。左の視方向の画像が補
正対象である。左の視方向の画像は全サブ画素が３２階調のグレーである。これに対して
、右の視方向の画像は中央の矩形領域が０階調のブラックであり、背景が６３階調のホワ
イトである。右の視方向の画像の６３階調（ホワイト）に対応する左の視方向の画像の３
２階調（グレー）部分が電気的クロストークによってＡ３２：０階調分明るくなり、光学
的クロストークによってＢ３２：０階調分明るくなる。また、右の視方向の画像の０階調
（ブラック）に対応する左の視方向の画像の３２階調（グレー）部分が電気的クロストー
クによってＡ３２：６３階調分暗くなり、光学的クロストークによってＢ３２：６３階調
分暗くなる。
【００４４】
そこで、クロストーク補正部７は、右の視方向の画像の６３階調（ホワイト）に対応す
る左の視方向の画像の３２階調（グレー）の補正値をＡ３２：６３＋Ｂ３２：６３階調に
し、Ａ３２：６３＋Ｂ３２：６３階調分輝度を下げて、[補正対象サブ画素の階調：３２
、近接サブ画素の階調：３１]のときの輝度となるようにする。そして、右の視方向の画
像の０階調（ブラック）に対応する左の視方向の画像の３２階調（グレー）の補正値をＡ
３２：０＋Ｂ３２：０階調にし、Ａ３２：０＋Ｂ３２：０階調分輝度を上げて、[補正対
象サブ画素の階調：３２、近接サブ画素の階調：３１]のときの輝度となるようにする。
これにより、右の視方向の画像の６３階調（ホワイト）に対応する左の視方向の画像と、
右の視方向の画像の０階調（ブラック）に対応する左の視方向の画像が同一輝度になる。
【００４５】
図７は左の視方向の画像の全サブ画素が０階調のブラックであるときの表示状態と、補
正状態を示す図である。右の視方向の画像の６３階調（ホワイト）に対応する左の視方向
の画像の０階調（ブラック）部分が電気的クロストークによってＡ０：０階調分明るくな
り、光学的クロストークによってＢ０：０階調分明るくなる。
【００４６】
そこで、クロストーク補正部７は、右の視方向の画像の６３階調（ホワイト）に対応す
る左の視方向の画像の０階調（ブラック）は補正値を０にする。そして、右の視方向の画
像の０階調（ブラック）に対応する左の視方向の画像の０階調（ブラック）の補正値をＡ
０：０＋Ｂ０：０階調にし、Ａ０：０＋Ｂ０：０階調分輝度を上げて、[補正対象サブ画
素の階調：０、近接サブ画素の階調：６３]のときの輝度となるようにする。これにより
、右の視方向の画像の６３階調（ホワイト）に対応する左の視方向の画像と、右の視方向
の画像の０階調（ブラック）に対応する左の視方向の画像が同一輝度になる。
【００４７】
図８は左の視方向の画像の全サブ画素が６３階調のホワイトであるときの表示状態と、
補正状態を示す図である。右の視方向の画像の０階調（ブラック）に対応する左の視方向
の画像の６３階調（ホワイト）部分が電気的クロストークによってＡ６３：６３階調分暗
くなり、光学的クロストークによってＢ６３：６３階調分暗くなる。
【００４８】
そこで、クロストーク補正部７は、右の視方向の画像の０階調（ブラック）に対応する
左の視方向の画像の６３階調（ホワイト）は補正値を０にする。そして、右の視方向の画
像の０階調（ブラック）に対応する左の視方向の画像の０階調（ブラック）の補正値をＡ
０：０＋Ｂ０：０階調にし、Ａ０：０＋Ｂ０：０階調分輝度を上げて、[補正対象サブ画
素の階調：０、近接サブ画素の階調：６３]のときの輝度となるようにする。これにより
、右の視方向の画像の６３階調（ホワイト）に対応する左の視方向の画像と、右の視方向
の画像の０階調（ブラック）に対応する左の視方向の画像が同一輝度になる。
【００４９】
上述の如く、本発明は、最小階調＋最大階調をＳ、補正対象サブ画素の階調をＡ１、隣
接サブ画素の階調をＡ２とすると、 [補正対象サブ画素の階調：Ａ１、隣接サブ画素の階
調：Ａ２]のときの補正対象サブ画素の輝度が[補正対象サブ画素の階調：Ａ１、隣接サブ
画素の階調：Ｓ−Ａ１]のときの補正対象サブ画素の輝度となるように補正する。即ち、
図２の補正値０の輝度に合わせる。このために、最小階調未満の階調や最大階調を超える
階調が要求されることはなく、全ての階調において同一階調は同じ輝度となって、クロス
トークを低減することができる。
【００５０】
また、電気的クロストーク補正値のテーブルを記憶する電気ＬＵＴ１４と光学的クロス
トーク補正値のテーブルを記憶する光学ＬＵＴ１５を備え、クロストーク補正部７は電気
ＬＵＴ１４と光学ＬＵＴ１５に記憶される補正値を補正対象のサブ画素の階調に加算する
。このようにＬＵＴを使用するので、実験データの回帰分析での最小二乗法等の計算を回
避することができ、画像処理を早く行うことができる。
【００５１】
尚、上述の遮光パターンは市松模様であったが、本願発明はストライブなどの他の遮光
パターンに適用することができる。
【００５２】
また、本発明は1画素がＲＧＢと白色の４つのサブ画素で構成されるものにも適用する
ことができる。
【００５３】
また、上述の実施例は液晶パネルであったが、本発明の駆動方法に適合するものであれ
ば、有機ＥＬ（エレクトロルミネッセンス）装置やプラズマディスプレイなどの電気光学
装置にも適用可能である。
【００５４】
また、上述の電気的クロストークに係る本発明は２画面以外の表示装置に適用すること
ができる。
【図面の簡単な説明】
【００５５】
【図１】本実施形態の表示装置の要部を示すブロック図である。
【図２】電気ＬＵＴに記憶される電気的クロストーク補正値のテーブルを示す図である。
【図３】光学ＬＵＴに記憶される光学的クロストーク補正値のテーブルを示す図である。
【図４】液晶パネルの画素配列を示す図である。
【図５】２つの視方向に対する個別の画像の合成および市松模様のサブ画素配列を示す図である。
【図６】グレーに対するクロストークの表示状態とその補正状態を示す図である。
【図７】ブラックに対するクロストークの表示状態とその補正状態を示す図である。
【図８】ホワイトに対するクロストークの表示状態とその補正状態を示す図である。
【図９】２画面表示装置の原理を示す図である。
【図１０】スリットの回折による光漏れを示す図である。
【図１１】従来のグレーに対するクロストークの表示状態とその補正状態を示す図である。
【図１２】電気ＬＵＴに記憶される電気的クロストーク補正値のテーブルを示す図である。
【図１３】従来のブラックに対するクロストークの表示状態とその補正状態を示す図である。
【図１４】従来のホワイトに対するクロストークの表示状態とその補正状態を示す図である。
【符号の説明】
【００５６】
１    ２画面表示装置
２    液晶表示部
３    信号処理回路
４    ＥＥＰＲＯＭ
５    電源供給回路
６    ２画面合成部
７    クロストーク補正部
８    出力信号生成部
９    ＥＥＰＲＯＭコントローラ
１０    前処理部
１１    電気補正部
１２    光学補正部
１３    演算部
１４    電気ＬＵＴ
１５    光学ＬＵＴ
【図１】
2009145640.tif 000003
【図２】
2009145640.tif 000004
【図３】
2009145640.tif 000005
【図４】
2009145640.tif 000006
【図５】
2009145640.tif 000007
【図６】
2009145640.tif 000008
【図７】
2009145640.tif 000009
【図８】
2009145640.tif 000010
【図９】
2009145640.tif 000011
【図１０】
2009145640.tif 000012
【図１１】
2009145640.tif 000013
【図１２】
2009145640.tif 000014
【図１３】
2009145640.tif 000015
【図１４】
2009145640.tif 000016